(57)【要約】【課題】交流を出力するバッテリユニットを複数用いて所定の大きさの交流電力を供給する電力供給システムを提供する。【解決手段】バッテリからの直流電圧を交流電圧に変換する変換装置を有するバッテリユニット１０と、バッテリユニット１０同士を接続する接続用コード５０と、を備え、バッテリユニット１０及び接続用コード５０、又は、バッテリユニット１０、電力出力装置及び接続用コード５０が電力を供給する電力供給系を構成し、変換装置３０は、インバータ回路３１と、インバータ回路３１の動作を制御するコントローラ３２と、電力供給系の電圧及び周波数を検出する出力センサ３３を備え、コントローラ３２は、出力センサ３３からの信号に基づいて電力供給系に電力が既に出力されているか否かを判断する出力判断手段と、電力供給系の出力にバッテリユニットの出力を同期させるための同期手段３２２とを備える。【選択図】図２
2018014790.tif 000002
【特許請求の範囲】
【請求項１】
バッテリと、該バッテリから入力された直流電圧を交流電圧に変換して出力する変換装置とを有し、
前記変換装置は、前記バッテリから入力された直流電圧を交流電圧に変換して出力するインバータ回路と、該インバータ回路の出力を制御するコントローラと、並列に接続された他のバッテリユニットからの電圧及び周波数を検出する出力センサを備え、
前記コントローラは、前記出力センサからの信号に基づいて、他の当該バッテリユニットが電力を既に出力しているか否かを判断する出力判断手段と、該出力判断手段の判断結果に基づいて、前記出力センサが検出した電圧及び周波数に基づいて前記バッテリユニットから出力すべき交流電圧を制御する同期制御手段と、を有することを特徴とするバッテリユニット。
【請求項２】
バッテリと、該バッテリから入力された直流電圧を交流電圧に変換して出力する変換装置と、を有するバッテリユニットと、
前記バッテリユニット同士を並列に接続可能な接続用コードと、を備え、
複数の前記バッテリユニット及び前記接続用コード、又は、少なくとも１つの前記バッテリユニット及び前記接続用コード、前記バッテリユニットとは異なる電力出力装置及び前記接続用コードが電力を供給する電力供給系を構成し、
前記変換装置は、前記バッテリから入力された直流電圧を交流電圧に変換して出力するインバータ回路と、該インバータ回路の出力を制御するコントローラと、前記電力供給系の電圧及び周波数を検出する出力センサを備え、
前記コントローラは、前記出力センサからの信号に基づいて、前記電力供給系が電力を既に出力しているか否かを判断する出力判断手段と、該出力判断手段の判断結果に基づいて、前記出力センサが検出した前記電力供給系の電圧及び周波数に基づいて前記バッテリユニットから出力すべき交流電圧を制御する同期制御手段と、を有することを特徴とする電力供給システム。
【請求項３】
上記同期制御手段は、前記出力センサが検出した前記電力供給系の電圧及び周波数に前記バッテリユニットから出力すべき交流電圧を同期させるように制御すること
を特徴とする請求項２記載の電力供給システム。
【請求項４】
前記バッテリユニットは、前記インバータ回路の出力の電圧を設定する出力電圧設定手段と、前記出力の周波数を設定する出力周波数設定手段とを備えている、請求項２又は３に記載の電力供給システム。
【請求項５】
前記電力供給系は、複数の前記バッテリユニット及び前記接続用コードによって構成され、
複数の前記バッテリユニットの中の一のバッテリユニットの前記インバータ回路の出力は、その電圧が前記出力電圧設定手段によって設定されると共に、その周波数が前記出力周波数設定手段によって設定され、
複数の前記バッテリユニットの中の他のバッテリユニットの前記インバータ回路の出力は、その電圧及び周波数が前記一のバッテリユニットの前記インバータ回路の出力の電圧及び周波数に一致させ、又は対応させると共に、その位相が前記一のバッテリユニットの前記インバータ回路の出力の位相に一致させ、又は対応するように前記コントローラによって制御されている、請求項４に記載の電力供給システム。
【請求項６】
前記電力供給系は、少なくとも１つの前記バッテリユニット、前記バッテリユニットとは異なる電力出力装置及び前記接続用コードにより構成され、
前記バッテリユニットの前記インバータ回路の出力は、その電圧及び周波数が前記電力出力装置の出力の電圧及び周波数に一致させ、又は対応させると共に、その位相が前記電力出力装置の出力の位相に一致させ、又は対応させるように前記コントローラによって制御されている、請求項２〜４のうち何れか１項に記載の電力供給システム。
【請求項７】
前記バッテリユニットは、複数のコンセントを備え、
複数の前記コンセントの１つは、前記接続用コードの接続を許容する許容構造を備えた専用コンセントであり、
前記接続用コードのプラグは、前記許容構造を有する前記コンセントのみに接続可能な接続可能構造を備えている、請求項２〜６のいずれか１項に記載の電力供給システム。
【請求項８】
前記専用コンセントは、前記接続用コードが接続されたことを検出する検出手段を有する、請求項７に記載の電力供給システム。
【発明の詳細な説明】
【技術分野】
【０００１】
本発明は、電力供給システムに関し、さらに詳しくは、交流電圧を出力する複数のバッテリユニットを並列に接続して電力を供給することが可能な電力供給システム及びこれに用いられるバッテリユニットに関する。
【背景技術】
【０００２】
リチウムイオン電池等のバッテリを備えたバッテリユニットを利用して電力を供給するための電力供給システムが従来から提案されている。こうした電力供給システムの中には、太陽光パネルに関する技術が発展してきたことに伴って、太陽光パネルを利用してバッテリを充電し、充電されたバッテリの出力を利用する電力供給システムがある。
【０００３】
例えば、特許文献１によって提案されている電力供給システムは、複数の直流電力供給源と、これらの直流電力供給源同士を接続する接続部とを備えた太陽電池システムである。直流電力供給源は、所定枚数の太陽電池パネルに接続されると共に、接続部によって相互に接続されることによって、直流電力を出力する１系統の電力供給システムを構成している。
【０００４】
また、特許文献２によって提案されている電力供給システムは、複数の蓄電素子を有する蓄電装置と、この蓄電装置と接続される電圧または電流の変換部と、この変換部の直流出力が供給され、交流電力を発生する電力制御部とを備えており、電力制御部から出力される交流電力が所定の交流電力となるように、変換部の直流出力が制御される電力供給システムである。
【０００５】
この電力供給システムでは、所定の電力を供給することができるように、１つの蓄電装置に複数の蓄電素子を設けている。
【先行技術文献】
【特許文献】
【０００６】
【特許文献１】特開２０１４−７７７１３号公報
【特許文献２】特開２０１３−１６１１３９号公報
【発明の概要】
【発明が解決しようとする課題】
【０００７】
しかしながら、特許文献１の太陽電池システムは、各電力供給源から供給される電力が直流の電力供給システムである。この太陽電池システムによって所定の交流電力を供給するには、複数の直流電力供給源同士を接続する接続部を設け、この接続部の先に、交流電力を得るためのパワーコンディショナが別途に必要である。
【０００８】
そのため、特許文献１の太陽電池システムでは、１つ１つのバッテリユニットから交流電力を供給するとともに、複数のバッテリユニットを利用して、所定の大きさの交流電力を供給する用途に用いることができない。
【０００９】
一方、特許文献２の電力供給システムは、交流電力を得ることを想定したシステムではあるが、所定の電力を得るために、１つの蓄電装置に複数の蓄電素子を設けている。そのため、１つの蓄電装置が大型となってしまう。
【００１０】
本発明は、上記課題を解決するためになされたものであって、その目的とするところは、交流電圧を出力するバッテリユニットを複数用いて所定の大きさの交流電力を供給することができる電力供給システム及びこれに用いられるバッテリユニットを提供することにある。
【課題を解決するための手段】
【００１１】
上記課題を解決するための本発明に係るバッテリユニットは、バッテリと、該バッテリから入力された直流電圧を交流電圧に変換して出力する変換装置とを有し、前記変換装置は、前記バッテリから入力された直流電圧を交流電圧に変換して出力するインバータ回路と、該インバータ回路の出力を制御するコントローラと、並列に接続された他の当該バッテリユニットからの電圧及び周波数を検出する出力センサを備え、前記コントローラは、前記出力センサからの信号に基づいて、他の当該バッテリユニットが電力を既に出力しているか否かを判断する出力判断手段と、該出力判断手段の判断結果に基づいて、前記出力センサが検出した電圧及び周波数に基づいて前記バッテリユニットから出力すべき交流電圧を制御する同期制御手段と、を有することを特徴とする。
【００１２】
上記課題を解決するための本発明に係る電力供給システムは、バッテリと、該バッテリから入力された直流電圧を交流電圧に変換して出力する変換装置と、を有するバッテリユニットと、前記バッテリユニット同士を並列に接続可能な接続用コードと、を備え、複数の前記バッテリユニット及び前記接続用コード、又は、少なくとも１つの前記バッテリユニット及び前記接続用コード、前記バッテリユニットとは異なる電力出力装置及び前記接続用コードが電力を供給する電力供給系を構成し、前記変換装置は、前記バッテリから入力された直流電圧を交流電圧に変換して出力するインバータ回路と、該インバータ回路の出力を制御するコントローラと、前記電力供給系の電圧及び周波数を検出する出力センサを備え、前記コントローラは、前記出力センサからの信号に基づいて、前記電力供給系が電力を既に出力しているか否かを判断する出力判断手段と、該出力判断手段の判断結果に基づいて、前記出力センサが検出した前記電力供給系の電圧及び周波数に基づいて前記バッテリユニットから出力すべき交流電圧を制御する同期制御手段と、を有することを特徴とする。このとき、上記同期制御手段は、前記出力センサが検出した前記電力供給系の電圧及び周波数に前記バッテリユニットから出力すべき交流電圧を同期させるように制御するものとされていてもよい。
【００１３】
この発明によれば、バッテリユニットの変換装置が上記のインバータ回路、コントローラ及び出力センサを備え、電力供給系の出力に同期させて交流電圧をバッテリユニットから出力させているので、複数のバッテリユニットを用いて交流電圧を出力する１つの電力供給システムを構成したり、少なくとも１つのバッテリユニット及び電力出力装置を用いて交流電圧を出力する１つの電力供給システムを構成したりすることができる。その結果、所定の大きさの交流電力を供給する電力供給システムを構成することができる。
【００１４】
本発明に係る電力供給システムにおいて、前記バッテリユニットは、前記インバータ回路の出力の電圧を設定する出力電圧設定手段と、前記出力の周波数を設定する出力周波数設定手段とを備えている。
【００１５】
この発明によれば、バッテリユニットが出力電圧設定手段と、出力周波数設定手段とを備えているので、出力電圧及び出力周波数を予め設定し、設定された所定の電圧及び周波数の交流をバッテリユニットから出力することができる。その結果、使用する電気機器が必要とする電圧及び周波数に応じ、バッテリユニットの出力電圧及び周波数を設定することができる。
【００１６】
本発明に係る電力供給システムにおいて、前記電力供給系は、複数の前記バッテリユニット及び前記接続用コードによって構成され、複数の前記バッテリユニットの中の一のバッテリユニットの前記インバータ回路の出力は、その電圧が前記出力電圧設定手段によって設定されると共に、その周波数が前記出力周波数設定手段によって設定され、複数の前記バッテリユニットの中の他のバッテリユニットの前記インバータ回路の出力は、その電圧及び周波数が前記一のバッテリユニットの前記インバータ回路の出力の電圧及び周波数に一致させ、又は対応させると共に、その位相が前記一のバッテリユニットの前記インバータ回路の出力の位相に一致させ、又は対応するように前記コントローラによって制御されている。
【００１７】
この発明によれば、複数のバッテリユニットの中の１つのバッテリユニットの出力電圧及び出力周波数を予め設定することにより、電力供給系を構成する他のバッテリユニットの出力電圧及び出力周波数を１つのバッテリユニットの出力電圧及び出力周波数に一致させることができる。その結果、複数のバッテリユニットを並列に複数接続することによって所定の大きさの電力を１つ電力供給系から供給させることができる。
【００１８】
本発明に係る電力供給システムにおいて、前記電力供給系は、少なくとも１つの前記バッテリユニット、前記バッテリユニットとは異なる電力出力装置及び前記接続用コードにより構成され、前記バッテリユニットの前記インバータ回路の出力は、その電圧及び周波数が前記電力出力装置の出力の電圧及び周波数に一致されると共に、その位相が前記電力出力装置の出力の位相に一致されるように前記コントローラによって制御されている。
【００１９】
この発明によれば、バッテリユニットの出力の電圧及び周波数が電力出力装置の出力の電圧及び周波数に一致されるとともに、バッテリユニットの出力の位相が電力出力装置の出力の位相に一致されるので、バッテリユニットを並列に複数接続させることによって、所定の大きさの電力を１つ電力供給系から供給させることができる。
【００２０】
本発明に係る電力供給システムにおいて、前記バッテリユニットは、複数のコンセントを備え、複数の前記コンセントの１つは、前記接続用コードの接続を許容する許容構造を備えた専用コンセントであり、前記接続用コードのプラグは、前記許容構造を有する前記コンセントのみに接続可能な接続可能構造を備えている。
【００２１】
この発明によれば、バッテリユニットが複数のコンセントが上記のように構成されているので、バッテリユニット同士を接続するための接続用コードだけでなく、家電製品等のコードやコードをバッテリユニットに接続することができる。また、複数のコンセントの１つは、接続用コードの接続を許容する許容構造を備えた専用コンセントであり、接続用コードのプラグは、許容構造を有するコンセントのみに接続可能な接続可能構造を備えているので、接続用コードのプラグを誤って専用コンセント以外のコンセントに接続してしまうことを確実に防止することができる。
【００２２】
本発明に係る電力供給システムにおいて、前記専用コンセントは、前記接続用コードが接続されたことを検出する検出手段を有している。
【００２３】
この発明によれば、接続用コードが接続されたことを検出する検出手段を有しているので、検出手段が専用コンセントと接続用コードとの接続を未検出のときには、インバータ回路から電圧を出力することを停止しておき、検出手段が専用コンセントと接続用コードとの接続を検出したときに、インバータ回路から電圧を出力するように制御することができる。
【発明の効果】
【００２４】
本発明によれば、交流電圧を出力するコンパクトなバッテリユニットを複数用いて所定の大きさの電力を供給することができる。
【図面の簡単な説明】
【００２５】
【図１】本発明に係る電力供給システムの第１実施形態の構成の概要を示す概要図である。
【図２】図１の電力供給システムの回路の概要を示す概要図である。
【図３】バッテリユニットの構成の概要を示す斜視図である。
【図４】バッテリユニットに設けられた差し込み部の一例を示す平面図である。
【図５】接続用コードを構成するプラグの斜視図である。
【図６】接続用コードを構成するタップの斜視図である。
【図７】変換装置の構成及び作用を説明するための説明図である。
【図８】検出手段の構成及び作用を説明するための説明図である。
【図９】専用コンセントが検出手段を複数備えることを説明するための説明図である。
【図１０】バッテリユニットの動作の概要を示す流れ図である。
【図１１】本発明に係る電力供給システムの第２実施形態の構成の概要を示す概要図であり、（Ａ）は、単相３線式の電力供給システムであり、（Ｂ）は、３相３線式の電力供給システムである。
【発明を実施するための形態】
【００２６】
以下、本発明に係る筒型容器について図面を参照して詳しく説明する。なお、本発明は、その技術的特徴を有すれば種々の変形が可能であり、以下に具体的に示す実施形態に限定されるものではない。
【００２７】
［電力供給システムの全体構成］
本発明に係る電力供給システムの第１実施形態は、図１から図３に示すように、バッテリユニット１０とバッテリユニット１０同士を並列に接続可能な接続用コード５０とを備えている。複数のバッテリユニット１０及び接続用コード５０は、電力を供給する電力供給系を構成している。また、本発明に係る電力供給システムの第２実施形態は、図１１に示すように、少なくとも１つのバッテリユニット１０と、このバッテリユニット１０とは異なる電力出力装置９０（９０ａ，９０ｂ）と、バッテリユニット１０同士を接続すると共に、電力出力装置とバッテリユニット１０とを接続する接続用コード５０と備えている。第２実施形態の電力供給システムでは、少なくとも１つのバッテリユニット１０、電力出力装置９０（９０ａ，９０ｂ）及び接続用コード５０が、電力を供給する電力供給系を構成している。
【００２８】
バッテリユニット１０は、バッテリ４０と、このバッテリ４０から入力された直流電圧を交流電圧に変換して出力する変換装置３０とを有している。変換装置３０は、バッテリ４０から入力された直流電圧を交流電圧に変換して出力するインバータ回路３１と、このインバータ回路３１の動作を制御するコントローラ３２と、電力供給系の電圧及び周波数を検出する出力センサ３３とを備えている。一方、接続用コード５０は、図１に示すように、導電体からなる配線を内部に備えた本体コード５１と、本体コード５１の長手方向の中央で本体コード５１から分岐している分岐コード５２とによって構成されている。本体コード５１は、長手方向の一端側にプラグ６０を有し、長手方向の他端側にタップ７０を有している。また、分岐コード５２は、その先端にプラグ６０を備えている。
【００２９】
変換装置３０に設けられたコントローラ３２は、本発明の出力判断手段を構成する出力判断部３２１と本発明の同期手段を構成する電圧・周波数調整部３２２とを備えている。出力判断部３２１は、出力センサ３３からの信号に基づいて、電力供給系が電力を既に出力しているか否かを判断している。電圧・周波数調整部３２２は、電力供給系の出力にバッテリユニット１０の出力を同期させている。
【００３０】
この電力供給システムでは、電力供給系が電力を既に出力していると出力判断部３２１が判断したときに、電圧・周波数調整部３２２は、インバータ回路３１の動作を制御して、電力供給系の出力に同期させて交流電圧を前記バッテリユニット１０から出力させている。
【００３１】
本発明に係る電力供給システムによれば、交流電圧を出力するバッテリユニット１０を複数用いて所定の大きさの交流電力を供給することができるという特徴的な効果を奏することができる。
【００３２】
以下、電力供給系が複数のバッテリユニット１０とバッテリユニット１０同士を接続する接続用コード５０とで構成された電力供給システムを第１実施形態とし、電力供給系が少なくとも１つのバッテリユニット１０と、このバッテリユニット１０とは異なる電力出力装置９０（９０ａ，９０ｂ）と、バッテリユニット１０同士を接続すると共に、電力出力装置９０（９０ａ，９０ｂ）とバッテリユニット１０とを接続する接続用コード５０とにより構成された電力供給システムを第２実施形態として説明する。
【００３３】
［第１実施形態］
図１から図９を参照し、第１実施形態の電力供給システムについて説明する。第１実施形態の電力供給システムは、図１に示すように、その電力供給系が複数のバッテリユニット１０とバッテリユニット１０同士を接続する接続用コード５０とを備えている。
【００３４】
第１実施形態の電力供給システムでは、複数のバッテリユニット１０の中の一のバッテリユニット１０の出力が予め設定され、他のバッテリユニット１０の出力が一のバッテリユニット１０の出力に同期されるように制御される。ちなみに本発明においては、他のバッテリユニット１０の出力が一のバッテリユニット１０の出力に完全に同期させる点について限定するものではなく、少なくともこの一のバッテリユニット１０の出力に応じて他のバッテリユニット１０の出力が制御されるものであればいかなるものであってもよい。具体的に、一のバッテリユニット１０が備えるインバータ回路３１の出力の電圧が出力電圧設定手段である出力電圧設定部３６によって設定されると共に、その周波数が出力周波数設定手段である出力周波数設定部３７によって設定される。一方、他のバッテリユニット１０のインバータ回路３１の出力の電圧及び周波数は、一のバッテリユニット１０が備えるインバータ回路３１の出力の電圧及び周波数に一致させると共に、その位相が一のバッテリユニット１０のインバータ回路３１の出力の位相に一致させるようにコントローラ３２によって制御されている。他のバッテリユニット１０のインバータ回路３１の出力の電圧及び周波数は、完全に一のバッテリユニット１０が備えるインバータ回路３１の出力の電圧及び周波数に一致させる必要は無く、少なくとも両者が対応していれば多少のズレがあってもよい。また上述した一のバッテリユニット１０は、太陽光パネル等を始め、他の電力を供給することができる手段に代替されるものであってもよい。
【００３５】
この第１実施形態の電力供給システムは、単相２線式、単相３線式及び３相３線式の電力供給システムのいずれにも適用することができるが、以下では、単相２線式の電力供給システムを代表例として電力供給システムの各構成を説明する。
【００３６】
〈バッテリユニット〉
バッテリユニット１０は、電力供給システムの電力供給源として機能する。このバッテリユニット１０は、図３に示すように、外殻をなすハウジング１１と、ハウジング１１の内部に収容されたバッテリ４０と、このバッテリ４０から出力された電圧が印加され、印加された電圧に基づいて交流を出力するための変換装置３０とを備えている。変換装置３０は、図２に示すように、交流電圧を出力するためのインバータ回路３１と、このインバータ回路３１の出力を制御するコントローラ３２と、電力供給系の電圧及び周波数を検出する出力センサ３３とを備えている。
【００３７】
このバッテリユニット１０は、高さが約３００ｍｍ、幅が約１８０ｍｍ、奥行きが約３７０ｍｍに形成され、重さが約５ｋｇであり、手で持ち運びすることが可能となっている。
【００３８】
ハウジング１１は、その上部に手で掴むための取っ手１３と、種々のコードが差し込まれる差し込み部１５とを備えている。差し込み部１５は、図４に示すように、交流用コードを接続するための交流用コンセント部１６が設けられていれる。ただし、差し込み部１５は、必要に応じ、直流用のコードを接続するための直流用コンセント２５や、ＵＳＢ（Ｕｎｉｖｅｒｓａｌ  Ｓｅｒｉａｌ  Ｂｕｓ）コネクタを接続するための通信用コンセント２６を設けることができる。
【００３９】
（交流用のコードを接続する交流用コンセントの構成）
交流用のコードを接続するためのコンセント（以下、単に「交流用コンセント」という。）は、複数のコンセントにより構成されている。図４に示す例では、交流用コンセントは３つのコンセント１７，１７，２０により構成されている。３つのコンセント１７，１７，２０のうちの１つのコンセントは、バッテリユニット１０同士を接続用コード５０で接続する際に用いる専用コンセント２０である。他の２つのコンセントは、一般の電気機器等の電源コードを接続する際に用いる一般用コンセント１７である。
【００４０】
専用コンセント２０には、接続用コード５０のプラグ６０の接続を許容する許容構造を備えている。許容構造は、接続用コード５０のプラグ６０を専用コンセント２０に差し込むことを許容することができる構造であれば、特にその構造に限定はない。
【００４１】
図４に示した交流用コンセントの専用コンセント２０は、プラグ６０の栓刃６１が差し込まれる差し込み穴１８、アース用の穴１９、並びに差し込み穴１８及びアース用の穴１９を囲む態様で形成された溝２１を有している。本実施形態の許容構造は、溝２１である。
【００４２】
〈接続用コード〉
ここで、接続用コード５０の詳細について説明する。接続用コード５０は、図１に示したように、直線状に延びる本体コード５１と、本体コード５１の長手方向の中間部分から本体コード５１の側方に延びる分岐コード５２とを備え、外形がアルファベットの「Ｔ」字状をなすように形成されている。本体コード５１の長手方向の一端側にはプラグ６０が設けられており、本体コード５１の長手方向の他端側にはタップ７０が設けられている。また、分岐コード５２の先端にはプラグ６０が設けられている。
【００４３】
プラグ６０は、図５に示すように、専用コンセント２０にのみ接続させることを可能にしている接続可能構造を備えている。この第１実施形態において、接続可能構造は、プラグ６０の前面に設けられている栓刃６１及びアース端子６２の周囲を囲む周壁６５により構成されている。一方、タップ７０は、図６に示すように、バッテリユニット１０の専用コンセント２０と同様、許容構造を備えている。許容構造は、差し込み穴７１及びアース用の穴７２の周囲を囲む溝７５により構成されている。
【００４４】
プラグ６０に形成された接続可能構造としての周壁６５を平面視したときの形状は、上述した専用コンセント２０に形成された許容構造としての溝２１を平面視したときの形状と一致しており、周壁６５と溝２１は、周壁６５を溝２１に嵌め込ませることができるように構成されている。同様に、周壁６５を平面視したときの形状とタップ７０に形成された溝７５を平面視したときの形状とは一致しており、周壁６５を溝７５に嵌め込ませることができるように構成されている。
【００４５】
接続用コード５０とバッテリユニット１０の専用コンセント２０との接続は、次のようにして行われる。まず、本体コード５１のプラグ６０の周壁６５、又は分岐コード５２のプラグ６０の周壁６５が専用コンセント２０に形成された溝２１に一致され、プラグ６０の栓刃６１及びアース端子６２が専用コンセント２０のそれぞれに対応する穴１８，１９に一致される。次いで、周壁６５が溝２１に挿入されると共に、プラグ６０の栓刃６１及びアース端子６２が専用コンセント２０のそれぞれに対応する穴１８，１９に挿入される。
【００４６】
同様に、接続用コード５０のプラグ６０と接続用コード５０のタップ７０との接続は、本体コード５１のプラグ６０の周壁６５又は分岐コード５２のプラグ６０の周壁６５をタップ７０に形成された溝７５に一致させ、プラグ６０の栓刃６１及びアース端子６２をタップ７０のそれぞれに対応する穴７１，７２に挿入すると共に、周壁を溝７５に挿入することによって行われる。
【００４７】
電力供給システムは、さらに、タップユニット１２０を備えている。このタップユニット１２０は、電気機器等を接続するときに用いられる。タップユニット１２０は、ケーブル１２１と、ケーブル１２１の長手方向の一端に設けられ、プラグ複数のコンセント１２３を備えたテーブルタップ１２２と、ケーブル１２１の長手方向の他端に設けられたプラグ６０とにより構成されている。
【００４８】
テーブルタップ１２２に設けられている複数のコンセント１２３は、電気機器等の電源コードを差し込むことによって、電力供給システムから電気機器等に電力を供給している。
【００４９】
なお、電力供給システムは、図１に示すように、さらに、商用コンセントに接続用コードを接続させるためのケーブル１１０を設けることができる。このケーブル１１０は、商用コンセントから電力を電力供給システムに供給する際に用いられる。ケーブル１１０は、本体ケーブル１１５と、本体ケーブル１１５の一端に設けられ、商用コンセントに差し込むためのプラグ１１１と、本体ケーブル１１５の他端に設けられ、接続用ケーブル５０のプラグ６０が差し込まれタップ７０とを備えている。
【００５０】
ケーブル１１０は、さらに、本体ケーブル１１５の長手方向の中間部分に逆潮流防止装置１１２を備えている。この逆潮流防止装置１１２は、バッテリユニット１０の出力が、商用コンセントに潮流することを防止している。
【００５１】
次に、ハウジング１１の内部に収容された構成品について説明する。ハウジング１１の内部には、図３に示すように、ハウジング１１の内部を上下に仕切る仕切板１２が設けられている。仕切板１２よりも下側の空間１０ｂは、バッテリ４０が収容される空間であり、仕切板１２よりも上側の空間１０ａは、変換装置３０等の電子機器が収容される空間である。
【００５２】
〈バッテリ〉
バッテリ４０は、図３に示すように、複数のバッテリセル４１を組み合わせて構成されている。各バッテリセル４１は、充電及び放電を行うことが可能な２次電池により構成されている。バッテリ４０を構成するバッテリセル４１の種類には特に限定はない。このバッテリ４０は、例えば、バッテリセル４１同士を接続する接続用バー（図示せず。）と固定ナット（図示せず。）を用い、バッテリセル４１の数を自在に組み合わせることができるように構成されている。このバッテリ４０は、複数のバッテリセル４１が組み合わされることによって、例えば、ＤＣ４８ＶからＤＣ５９Ｖの電圧を出力する。
【００５３】
バッテリ４０の充電は、例えば、コンセント交流電源からバッテリユニット１０に交流を供給し、交流をバッテリユニット１０内で直流に変換することによって行う。この場合、バッテリユニット１０は、図示していないコンバータを設けておき、バッテリユニット１０に供給された交流をコンバータで直流に変換してバッテリユニット１０に供給する。ただし、バッテリ４０の充電は、バッテリ４０をバッテリユニット１０から取り外し、充電専用の機器を用いて行うこともできる。
【００５４】
〈変換装置〉
変換装置３０は、バッテリ４０から供給された直流電圧を交流電圧に変換する。この変換装置３０は、図２及び図７に示すように、バッテリ４０に接続され、バッテリ４０から出力された直流電圧を入力するための入力部３４と、交流電圧を出力する出力部３５とを有している。また、変換装置３０は、その内部に直流電圧を交流電圧に変換するインバータ回路３１と、インバータ回路３１の動作を制御するコントローラ３２と、電力供給系の電圧と周波数を検出する出力センサ３３とを備えている。
【００５５】
また、変換装置３０は、図７に示すように、出力電圧設定部３６、出力周波数設定部３７及び接続モード設定部３８を有している。出力電圧設定部３６は、インバータ回路３１の出力電圧を所定の交流電圧に設定し、出力周波数設定部３７は、インバータ回路３１の出力を所定の周波数に設定する。また、接続モード設定部３８は、１つのバッテリユニット１０を単独で利用する場合のモードと、複数のバッテリユニット１０を用いてシステムとして利用する場合のモードとを切り換えている。
【００５６】
変換装置３０の入力部３４には、上記のバッテリ４０から、ＤＣ４８ＶからＤＣ５９Ｖの範囲で一定の値に設定された直流電圧が印加される。一方、変換装置３０の出力部３５は、出力電圧設定部３６によって設定された電圧、及び出力周波数設定部３７によって設定された周波数を出力するか、又は、電極供給系に既に出力されている交流と同じ電圧及び周波数の交流を出力する。
【００５７】
（出力電圧設定部）
出力電圧設定部３６は、複数の端子によって構成されており、本発明の出力電圧設定手段を構成している。出力電圧の設定は、接続する端子を選択することによって行われる。図７に示す例では、出力電圧設定部３６は５本の端子３６１〜３６５を有している。この図７に示す例において、出力電圧設定部３６は、ＡＣ１００ＶからＡＣ２４０Ｖの間で、ＡＣ１００Ｖ、ＡＣ１１０Ｖ、ＡＣ１２０Ｖ、ＡＣ２００Ｖ、ＡＣ２１０Ｖ、ＡＣ２２０Ｖ、ＡＣ２３０Ｖ、ＡＣ２４０Ｖの各電圧値に設定することができるように構成されている。
【００５８】
具体的に、出力電圧設定部３６は、この出力電圧設定部３６に設けられた５つの端子３６１〜３６５の中から２個から４個の端子が選択され、選択された端子によって出力電圧を設定している。
【００５９】
例えば、出力電圧設定部３６において第１端子３６１と第２端子３６２が選択され、第１端子３６１と第２端子３６２とが短絡された場合、変換装置３０は、ＡＣ１００Ｖを出力する。また、第２端子３６２と第３端子３６３とが選択されて短絡された場合、変換装置３０は、ＡＣ１１０Ｖを出力する。また、第１端子３６１、第２端子３６２及び第３端子３６３が選択され、これら３つの端子３６１，３６２，３６３が短絡された場合、変換装置３０は、ＡＣ１２０Ｖを出力し、第３端子３６３と第４端子３６４が選択され、この２つの端子３６３，３６４が短絡された場合、変換装置３０は、ＡＣ２００Ｖを出力する。
【００６０】
また、第１端子３６１、第２端子３６２、第３端子３６３及び第４端子３６４が選択され、第１端子３６１と第２端子３６２とが短絡されると共に、第３端子３６３と第４端子３６４とが短絡された場合、変換装置３０は２１０Ｖを出力する。
【００６１】
その他に、出力電圧設定部３６において第２端子３６２、第３端子３６３及び第４端子３６４が選択されて短絡された場合、変換装置３０は、ＡＣ２２０Ｖを出力し、第１端子３６１、第２端子３６２、第３端子３６３及び第４端子３６４が選択されて短絡された場合、変換装置３０は、ＡＣ２３０Ｖを出力し、第４端子３６４と第５端子３６５とが選択されて短絡された場合、ＡＣ変換装置３０は２４０Ｖを出力する。
【００６２】
以上、電圧を８段階に設定することができる形態を例に説明した。しかしながら、出力電圧設定部３６は、必要に応じ、９段階以上の電圧を設定することができるように構成したり、７段階以下の電圧しか設定することができないように構成したりすることができる。また、出力電圧は、必要に応じ、ＡＣ１００Ｖ、ＡＣ１１０Ｖ、ＡＣ１２０Ｖ、ＡＣ２００Ｖ、ＡＣ２１０Ｖ、ＡＣ２２０Ｖ、ＡＣ２３０Ｖ、ＡＣ２４０Ｖ以外の電圧を出力できるように構成することもできる。
【００６３】
（出力周波数設定部）
出力周波数設定部３７は、本発明の出力周波数設定手段を構成し、変換装置３０の出力電圧の周波数を設定する。具体的に、出力周波数設定部３７は、変換装置３０から出力される電流の周波数を５０Ｈｚ又は６０Ｈｚに設定する。この図７に示す変換装置３０の例では、出力周波数設定部３７は、２つの端子３７１，３７２を備えており、２つの端子３７１，３７２の間を開放させることによって、変換装置３０の出力を５０Ｈｚに設定し、２つの端子３７１，３７２を短絡させることによって変換装置３０の出力を６０Ｈｚに設定している。
【００６４】
なお、図７に示した変換装置３０は、設定される周波数が５０Ｈｚと６０Ｈｚの２通りの場合を例に示している。ただし、設定される周波数は、必要に応じ、５０Ｈｚよりも小さな値に設定したり、６０Ｈｚよりも大きな値に設定したりすることができるように構成することもできる。
【００６５】
（接続モード設定部）
接続モード設定部３８は、コードがバッテリユニット１０の専用コンセント２０に接続されたときに、そのコードが接続用コード５０であるか、一般のコードであるかによって、モードが切り換えられるように構成されている。設定されるモードは、複数のバッテリユニット１０を相互に接続させて電力供給システムとして用いる場合のモード（以下、「並列接続モード」という。）、個々のバッテリユニット１０を単独で用いる場合のモード（以下、「非並列接続モード」という。）の２通りである。
【００６６】
接続モード設定部３８は、２つの端子３８１，３８２により構成されている。並列接続モードと非並列接続モードとの間のモードの切り換えは、２つの端子３８１，３８２の間を開放させた形態と短絡させた形態を切り換えることにより行われる。２つの端子３８１，３８２を短絡させた場合、接続モード設定部３８は、並列接続モードにインバータを設定する。これに対し、２つの端子３８１，３８２の間を開放させた場合、接続モード設定部３８は、非並列接続モードにインバータを設定している。この接続モード設定部３８は、専用コンセント２０内に設けられた検出手段８０と連動している。
【００６７】
検出手段８０は、接続用コード５０のプラグ６０が専用コンセント２０に差し込まれたことを検出する。この検出手段８０は、例えば、図８に示すように、２つの端子３８１，３８２を接続するための接続体８１と、接続体８１に力を伝える伝達機構８２とにより構成されている。
【００６８】
接続体８１は、２つの端子３８１，３８２に突き当てたり、２つの端子３８１，３８２から離したりすることによって、２つの端子３８１，３８２の間を短絡させたり開放させたりする部材である。伝達機構８２は、溝２１を幅方向に横切るようにして配置されたアーム８３と、アーム８３を回転可能に支持する支持ピン８４とによって構成されている。アーム８３は、その長手方向における支持ピン８４よりも一端側が溝２１を横切るように配置されている一方で、支持ピン８４よりも他端側が接続モード設定部３８に向けられている。
【００６９】
接続用コード５０のプラグ６０が専用コンセント２０に差し込まれていないときには、図８（Ａ）に示すように、アーム８３は水平に維持されており、アーム８３と接続体８１とは離れた状態に維持されている。この図８（Ａ）に示す状態は、非並列接続モードの状態である。
【００７０】
一方、接続用コード５０のプラグ６０の周壁６５が専用コンセント２０の溝２１に嵌め込まれたときには、図８（Ｂ）に示すように、アーム８３における支持ピン８４よりも一端側が周壁６５によって溝２１の下側に押し込まれる。支持ピン８４よりも一端側が押し込まれると、支持ピン８４よりも他端側が上昇し、アーム８３の他端が接続体８１を押し上げ、接続モード設定部３８の２つの端子８３１，３８２を短絡させる。この図８（Ｂ）に示す状態は、並列接続モードである。
【００７１】
なお、専用コンセント２０には、図９に示すように、伝達機構８２が複数設けられている。そのため、伝達機構８２の１つに不具合が発生した場合でも、接続モード設定部３８に設けられた２つの端子８３１，３８２は、他の伝達機構８２によって短絡と開放との切り換えが行われるように構成されている。
【００７２】
（出力センサ）
出力センサ３３は、各バッテリユニット１０の変換装置３０にそれぞれ設けられており、電力供給系の電圧と周波数とを検出している。具体的に、出力センサ３３が設けられている一のバッテリユニット１０とは異なる他のバッテリユニット１０からの出力の電圧及び周波数が出力センサ３３によって検出される。
【００７３】
出力センサ３３はバッテリユニット１０の変換装置３０の内部に設けられている一方で、バッテリユニット１０は、上述したように、分岐コード５２で接続用コード５０に接続されている。そのため、電力供給系の電圧及び周波数の検出は、接続用コード５０の本体コード５１を流れ、分岐コード５２に分岐した交流を検出することにより行われる。
【００７４】
なお、出力センサ３３は、電圧値、周波数を検出することができれば、使用する出力センサ３３の種類に特別な限定はない。出力センサ３３としては、例えば、電圧値及び電流値を検出する素子が用いられる。
【００７５】
また出力センサ３３は、開閉自在に設けられたスイッチ１５１を跨ぐようにして２箇所から短絡されるものであってもよい。このスイッチ１５１を開いた状態で検出動作を行うことで他のバッテリユニット１０との接続前における出力の電圧及び周波数を検出することができる。またスイッチ１５１を閉じた状態で検出動作を行うことにより他のバッテリユニット１０との接続前における出力の電圧及び周波数を検出することができる。このようにして他のバッテリユニット１０との接続前後の電圧及び周波数をそれぞれ検知することで、予めバッテリユニット１０側において設定した電圧及び周波数との間でのズレを検知することができ、これを事前に補正することが可能となる。ちなみに、このスイッチ１５１を設けることは必須ではなく、省略するようにしてもよい。
【００７６】
ちなみに、このスイッチ１５１は、一のバッテリユニット１０のみに設けられる場合に限定されるものではなく、他のバッテリユニット１０内においても同様に設けられていてもよい。
【００７７】
（コントローラ）
コントローラ３２は、各バッテリユニット１０に設けられた変換装置３０にそれぞれ設けられている。コントローラ３２は、出力判断手段である出力判断部３２１と同期手段である電圧・周波数調整部３２２とを備えており、出力センサ３３の信号に基づいてインバータ回路３１の動作を制御している。
【００７８】
出力判断部３２１は、上記の接続モード設定部３８が並列接続モードに設定されている場合に、一のバッテリユニット１０が既に電力を出力しているか否かを、他のバッテリユニット１０にて、出力センサ３３からの信号に基づいて判断している。出力判断部３２１は、他のバッテリユニット１０が既に電力を出力していると判断したとき、その判断結果を電圧・周波数調整部３２２に送っている。
【００７９】
電圧・周波数調整部３２２は、インバータ回路３１の出力が、既に出力されている電力供給系の電圧及び周波数と一致するように、或いはこれらとある程度対応するように、出力センサ３３の検出した結果に基づいて、インバータ回路３１の動作を制御している。その際、電圧・周波数調整部３２２は、バッテリユニット１０の出力の位相を、既に電力を出力している一のバッテリユニット１０の電力の位相に一致させているか、ある程度対応させる。
【００８０】
コントローラ３２の制御形態は、次の２形態に大別することができる。第１の制御形態は、出力電圧設定部３６及び出力周波数設定部３７によって設定された電力を一のバッテリユニット１０から出力する形態であり、第２の制御形態は、一のバッテリユニット１０の出力に他のバッテリユニット１０の出力を同期させる形態である。
【００８１】
第１の制御形態は、さらに、次の１−１の制御形態と１−２の制御形態の２通りの場合に分けることができる。
【００８２】
１−１の制御形態は、バッテリユニット１０に、接続用コード５０が接続されておらず、非並列接続モードに設定されている場合である。具体的に、１−１の制御形態は、１つのバッテリユニット１０が単独で電源として用いられ、バッテリユニット１０のコンセントに一般用の電気機器の電源コード等だけが接続されている場合の制御形態である。この制御形態は、１つのバッテリユニット１０が単独で電源として利用される場合なので、コントローラ３２は、出力電圧設定部３６及び出力周波数設定部３７によって設定された電力を一のバッテリユニット１０から出力するようにインバータ回路３１を制御する。
【００８３】
１−２の制御形態は、一のバッテリユニット１０が既に電源として用いられている最中に、他のバッテリユニット１０が接続用コード５０で接続され、一のバッテリユニット１０の変換装置３０が並列接続モードに設定された場合である。この場合、一のバッテリユニット１０は、他のバッテリユニット１０が並列接続されるまでは単独で電力を出力する。そのため、コントローラ３２は、出力電圧設定部３６及び出力周波数設定部３７によって設定された電力を一のバッテリユニット１０から出力するようにインバータ回路３１を制御する。
【００８４】
第２の制御形態では、上記の出力判断部３２１と電圧・周波数調整部３２２とがインバータ回路３１の動作を制御することによって、電力を既に出力している一のバッテリユニット１０の出力と同じ電圧及び周波数の電力を他のバッテリユニット１０から出力させる形態である。この制御形態では、コントローラ３２は、他のバッテリユニット１０からの出力の位相が一のバッテリユニット１０の出力の位相に一致され、或いは少なくとも対応するように、他のバッテリユニット１０に設けられたインバータ回路３１の動作を制御している。
【００８５】
具体的に、一のバッテリユニット１０では、上述した出力電圧設定部３６によって出力電圧が設定されると共に、出力周波数設定部３７によって出力周波数が設定され、一のバッテリユニット１０から設定された電圧及び周波数の交流が出力される。
【００８６】
他のバッテリユニットでは、出力センサ３１が、電力供給系を構成している一のバッテリユニット１０の電圧及び周波数を検出する。出力判断部３２１は、出力センサ３１の出力信号に基づいて、電力供給系に電力が既に供給されているかどうかを判断する。電圧・周波数調整部３２２は、出力判断部３２１の判断結果に基づいて、既に電力が供給されていると判断した場合に、出力センサ３１が検出した電圧及び周波数と同じ値になるように、インバータ回路３２の動作を制御する。その際、インバータ回路３２の出力の位相を電力供給系の出力の位相に一致させ、或いは少なくとも対応させる。
【００８７】
一方、一のバッテリユニット１０が電力を出力していない場合、他のバッテリユニット１０は、上述した出力電圧設定部３６によって設定された出力電圧及び出力周波数設定部３７によって設定された出力周波数を出力する。
【００８８】
［バッテリユニットの動作］
次に、複数のバッテリユニット１０を電力供給源として利用する際におけるバッテリユニット１０の動作について、図１０を参照して説明する。
【００８９】
バッテリユニット１０を電力供給源として用いる際、バッテリユニット１０の専用コンセント２０には、コードが差し込まれる（Ｓ１０１）。一般のコードが差し込まれたのか、又は接続用コード５０が差し込まれたのかが、検出手段８０の上述した作用に基づいてこのときに判断される（Ｓ１０２）。
【００９０】
接続用コード５０が差し込まれた場合、図８を参照して説明したように、プラグ６０に設けられた接続可能構造である周壁６５が、専用コンセント２０に形成された許容構造である溝２１に差し込まれ、検出手段８０によって接続モード設定部３８が並列接続モードに設定される。並列接続モードの設定は、接続モード設定部３８に設けられた２つの端子３８１，３８２が短絡されることによって行われる。一方、一般のコードのプラグ６０には、接続可能構造である周壁６５が設けられていないので、一般のコードが専用コンセント２０に差し込まれても、検出手段２０は作動せず、非並列接続モードが維持される。
【００９１】
バッテリユニット１０の専用コンセント２０に、接続用コード５０が差し込まれた場合、次いで、バッテリユニット１０に設けられたコントローラ３２は、電力を既に出力しているバッテリユニット１０が電力供給系に存在するか否かを判断する（Ｓ１０３）。この判断は、コントローラ３２に設けられた出力判断部３２１が出力センサ３３の信号に基づいて行われる。
【００９２】
電力を既に出力しているバッテリユニット１０が電力供給系に存在すると判断した場合、次いで、コントローラ３２は、バッテリユニット１０からの出力を、一のバッテリユニット１０から出力されている電力に同期するように、インバータ回路３１の動作を制御する（Ｓ１０４）。具体的に、コントローラ３２に設けられた電圧・周波数調整部３２２は、出力センサ３３が検出した接続コードの電圧値、周波数と同値になるように、他のバッテリユニット１０に設けられたインバータ回路３１の動作を制御する。その際、他のバッテリユニット１０の出力の位相が、一のバッテリユニット１０の出力の位相に一致し、或いは少なくとも対応するように、同期手段はインバータ回路３１の動作を制御する。
【００９３】
以上、第１実施形態の電力供給システムでは、複数のバッテリユニット１０の中の１つのバッテリユニット１０の出力電圧及び出力周波数を予め設定することにより、電力供給系を構成する他のバッテリユニット１０の出力電圧及び出力周波数を１つのバッテリユニット１０の出力電圧及び出力周波数に一致させ、或いは少なくとも対応させることができる。その結果、１つのバッテリユニット１０自体が供給可能な電力が小さい場合でも、複数のバッテリユニット１０を並列に複数接続することによって所定の大きさの電力を１つ電力供給系から供給させることができる。
【００９４】
［第２実施形態］
第２実施形態の電力供給システムは、バッテリユニット１０とは別に、電力出力装置９０を備えた形態である。第２実施形態の電力供給システムは、電力出力装置９０を備えていることが第１実施形態の電力供給システムとは相違するが、その他の構成は、第１実施形態の電力供給システムと同様である。そのため、第１実施形態と同様の構成については、ここでは説明を省略する。なお、第２実施形態の電力供給システムも、第１実施形態の電力供給システムと同様に、単相２線式、単相３線式及び３相３線式の電力供給システムのいずれにも適用することができる。
【００９５】
第２実施形態の電力供給システムは、バッテリユニット１０と、バッテリユニット１０同士を接続している接続用コード５０と、バッテリユニット１０とは異なる電力出力装置９０とを備えている。図１１は、第２実施形態の電力供給システムの一例を示しており、図１１（Ａ）に示す電力供給システムは単相３線式のシステムであり、図１１（Ｂ）に示す電力供給システムは３相３線式のシステムである。図１１（Ａ）に示す電力供給システムでは電力供給システムが単相３線式のシステムであるので、単相三線式基準波形出力装置９０ａが用いられ、図１１（Ｂ）に示す電力供給システムでは電力供給システムが３相３線式のシステムであるので、三相基準波形出力装置９０ｂが用いられている。
【００９６】
第２実施形態の電力供給システムは、特に図面には示していないが第１実施形態の電力供給システムと同様に、バッテリユニット１０同士が接続用コード５０によって相互に接続されている。また、単相三線式基準波形出力装置９０ａや三相基準波形出力装置９０ｂ等の電力出力装置９０が、接続用コード５０によってバッテリユニット１０にそれぞれ接続されている。この電力供給システムに用いられているバッテリユニット１０の構造及び接続用コード５０の構造は、第１実施形態の電力供給システムに用いられているバッテリユニット１０の構造及び接続用コード５０の構造と同様であり、その説明は省略する。
【００９７】
第２実施形態の電力供給システムでは、バッテリユニット１０に設けられたインバータ回路３１の出力の電圧及び周波数が、電力出力装置９０の出力の電圧及び周波数に一致されると共に、その位相が電力出力装置９０の出力の位相に一致されるようにコントローラ３２によって制御される。
【００９８】
（電力出力装置）
電力出力装置９０（９０ａ，９０ｂ）は、電力供給システムが供給する電力の電圧及び周波数を定める機能を有している。この電力出力装置９０（９０ａ，９０ｂ）は、直流電圧を出力する図示しないバッテリと、バッテリの出力を直流から交流に変換する、図示しないインバータ回路とを有するコンパクトな装置である。電力出力装置９０（９０ａ，９０ｂ）は、その出力の電圧及び周波数を設定することができるように構成されており、設定された電圧及び周波数の交流を電力供給系に出力する。電力供給系を構成する各バッテリユニット１０は、電力出力装置９０（９０ａ，９０ｂ）の出力の電圧及び周波数に一致した交流を出力するようにコントローラ３２によって制御される。
【００９９】
なお、第２実施形態の電力供給システムでは、専用の電力出力装置９０（９０ａ，９０ｂ）を用いることは必須ではない。電力出力装置９０は、一般的な発電機等を用いることもできる。
【０１００】
（コントローラ）
コントローラ３２は、第１実施形態の電力供給システムを構成するバッテリユニット１０に用いられているコントローラ３２と同様に、各バッテリユニット１０に設けられた変換装置にそれぞれ設けられている。
【０１０１】
コントローラ３２は、各バッテリユニット１０の変換装置に設けられたインバータ回路３１の動作を制御している。具体的に、コントローラ３２は、バッテリユニット１０の出力の電圧及び周波数が電力出力装置９０の出力の電圧及び周波数に一致されるように、インバータ回路３１の動作を制御している。また、コントローラ３２は、インバータ回路３１の動作を制御する際、バッテリユニット１０からの出力の位相が電力出力装置９０の出力の位相に一致するように制御している。
【０１０２】
この第２実施形態の電力供給システムにおいても、第１実施形態の電力供給システムと同様に、出力センサ３１からの信号に基づいて、コントローラ３２の出力判断部３２１は、電力出力装置９０（９０ａ，９０ｂ）が既に電力を電力供給系に出力しているかどうかを判断する。電力出力装置９０（９０ａ，９０ｂ）が既に電力を電力供給系に出力していると出力判断部３２１によって判断された場合、出力判断部３２１は判断結果を電圧・周波数調整部３２２に送る。電圧・周波数調整部３２２は、一のバッテリユニット１０に設けられた変換装置３０のインバータ回路３１の動作を制御し、インバータ回路３１の出力を電力出力装置９０（９０ａ，９０ｂ）に同期させる。
【０１０３】
この第２実施形態の電力供給しテムでは、バッテリユニット１０の出力の電圧、周波数及び位相が電力出力装置９０の出力の電圧、周波数及び位相に一致されるので、複数のバッテリユニット１０を接続して１つのシステムを構成することができる。その結果、１つ１つのバッテリユニット１０の電力が小さい場合でも、複数のバッテリユニット１０を接続して１つのシステムを構成することによって、所定の大きさの電力を１つ電力供給系から供給させることができる。
【符号の説明】
【０１０４】
１０  バッテリユニット
１１  ハウジング
１２  仕切板
１３  取っ手
１５  差し込み部
１６  交流用コンセント
１７  一般用コンセント
１８  差し込み穴
１９  アース用の穴
２０  専用コンセント
２１  溝（許容構造）
２５  直流用コンセント
２６  通信用コンセント
３０  変換装置
３１  出力センサ
３２  コントローラ
３２１  出力判断部（出力判断手段）
３２２  電圧・周波数調整部
３３  インバータ回路
３４  入力部
３５  出力部
３６  出力電圧設定部
３７  出力周波数設定部
３８  接続モード設定部
４０  バッテリ
４１  バッテリセル
５０  接続用コード
５１  本体コード
５２  分岐コード
６０  プラグ
６１  栓刃
６２  アース端子
６５  周壁（接続可能構造）
７０  タップ
７１  差し込み穴
７２  アース用の穴
７５  溝（許容構造）
８０  検出手段
８１  接続体
８２  伝達機構
８３  アーム
８４  支持ピン
９０  電力出力装置
９０ａ  単相三線式基準波形出力装置
９０ｂ  三相基準波形出力装置
【図１】
2018014790.tif 000003
【図２】
2018014790.tif 000004
【図３】
2018014790.tif 000005
【図４】
2018014790.tif 000006
【図５】
2018014790.tif 000007
【図６】
2018014790.tif 000008
【図７】
2018014790.tif 000009
【図８】
2018014790.tif 000010
【図９】
2018014790.tif 000011
【図１０】
2018014790.tif 000012
【図１１】
2018014790.tif 000013